(57)【要約】【課題】内器のメンテナンス部品を、別の部材を用いることなく筐体に取着することができ、紛失することのないマルチメディアポートを提供する。【解決手段】マルチメディアポートは、ベース１とカバーとで薄箱状に形成され造営物の壁に取付けられる筐体と、筐体の内部に内器として収納される複数個のモジュラジャック５ｂを備えたハブ５とで構成される。ベース１には内器取付部４が設けられており、ハブ５は、内器取付部４に取付けられる。ハブ５のメンテナンス部品には、ハブ５のモジュラジャック５ｂに挿抜自在に差込まれるモジュラプラグ６ａを有したループバックコネクタ６がある。また、内器取付部４の周囲に対応する部位には部品取着部が形成されており、ループバックコネクタ６を、部品取着部に着脱自在に取着できるので、使用しない時にはベース１に取着して保管することができる。【選択図】          図１
2004327861.tif 000002
【特許請求の範囲】
【請求項１】
造営物の定位置に設置される筐体と、前記筐体に収納されるとともに情報の伝送に関与する内器とを備え、前記内器のメンテナンスに用いられるメンテナンス部品を着脱自在に取着する部品取着部が前記筐体に設けられていることを特徴とするマルチメディアポート。
【請求項２】
前記部品取着部は、前記筐体の内面に一体に突設された複数個の保持突片からなり、前記保持突片に囲まれる部位には前記メンテナンス部品が着脱自在に装着されることを特徴とする請求項１に記載のマルチメディアポート。
【請求項３】
前記部品取着部は、前記筐体に形成された保持凹部であり、前記保持凹片には前記メンテナンス部品が挿抜自在に差込まれることを特徴とする請求項１に記載のマルチメディアポート。
【請求項４】
前記内器は伝送線の接続口として複数個のモジュラジャックを有したハブであり、前記メンテナンス部品は、前記ハブに設けた前記モジュラジャックに挿抜自在に差込まれるモジュラプラグを有し１つの前記モジュラジャックにおける送信経路と受信経路との間を短絡するループバックコネクタであることを特徴とする請求項１に記載のマルチメディアポート。
【発明の詳細な説明】
【０００１】
【発明の属する技術分野】
本発明は、造営物の定位置に取付けられる筐体に、情報の伝送に関与する内器を収納したマルチメディアポートに関するものである。
【０００２】
【従来の技術】
一般にこの種のマルチメディアポートは、造営物の壁に取付可能な薄箱状の筐体の内部に、例えばＬＡＮ（ローカルエリアネットワーク）を構成するハブや、テレビ放送用のブースタや、デジタルＣＳ衛星信号切換器や、ＤＳＵのような内器が収納されている（特許文献１参照）。
【０００３】
例えば、内器としてモジュラジャックを設けたハブを用いている場合に、ハブのメンテナンスのためにループバックコネクタと称するメンテナンス部品を用いることがある。ループバックコネクタは、ハブのモジュラジャックに挿抜自在に差込まれるモジュラプラグを有しており、ハブの１つのモジュラジャックに装着され、モジュラジャックにおける送信経路と受信経路との間を短絡するものである。ループバックコネクタのようなメンテナンス部品は、使用頻度が比較的低くしかもサイズが比較的小さいので、別途保管中に紛失するおそれがあった。
【０００４】
そこで、メンテナンス部品を、あるいはメンテナンス部品６’が入れられた部品袋６ａ’（図６参照）を粘着テープでマルチメディアポートの筐体に貼付けて保管することが考えられている。
【０００５】
【特許文献１】
特開２０００−１３３９６０号公報（第３頁、図２−３）
【０００６】
【発明が解決しようとする課題】
しかし、メンテナンス部品を保管するために、粘着テープや部品袋を用いると、別の部材が余分に必要になる。さらに、粘着テープを用いた場合、時間が経てば粘着テープの粘着性は劣化するので、メンテナンス部品を長期にわたって保管する際には粘着テープが剥離することによりメンテナンス部品を紛失するおそれがある。
【０００７】
本発明は上記事由に鑑みて為されたものであって、メンテナンス部品を、別の部材を用いることなく筐体に取着することができ、紛失することのないマルチメディアポートを提供することを目的としている。
【０００８】
【課題を解決するための手段】
上記課題を解決するために、請求項１の発明は、造営物の定位置に設置される筐体と、前記筐体に収納されるとともに情報の伝送に関与する内器とを備え、前記内器のメンテナンスに用いられるメンテナンス部品を着脱自在に取着する部品取着部が前記筐体に設けられていることを特徴とする。
【０００９】
請求項２の発明は、請求項１の発明において、前記部品取着部は、前記筐体の内面に一体に突設された複数個の保持突片７からなり、前記保持突片７に囲まれる部位には前記メンテナンス部品が着脱自在に装着されることを特徴とする。
【００１０】
請求項３の発明は、請求項１の発明において、前記部品取着部は、前記筐体に形成された保持凹部７’であり、前記保持凹部７’には前記メンテナンス部品が挿抜自在に差込まれることを特徴とする。
【００１１】
請求項４の発明は、請求項１の発明において、前記内器は伝送線の接続口として複数個のモジュラジャック５ｂを有したハブ５であり、前記メンテナンス部品は、前記ハブ５に設けた前記モジュラジャック５ｂに挿抜自在に差込まれるモジュラプラグ６ａを有し１つの前記モジュラジャック５ｂにおける送信経路と受信経路との間を短絡するループバックコネクタ６であることを特徴とする。
【００１２】
【発明の実施の形態】
以下、本発明の実施形態を図面を参照して説明する。一般にマルチメディアポートは、造営物の定位置に取付可能な筐体の内部に、例えばＬＡＮ（ローカルエリアネットワーク）を構成するハブや、テレビ放送用のブースタや、デジタルＣＳ衛星信号切換器や、ＤＳＵのような情報の伝送に関与する内器が収納されている。以下の実施形態では、ビルまたは家屋の室内の壁に取付可能な薄箱状の筐体の内部に、内器として伝送線の接続口に複数個のモジュラジャックを備えたハブを収納したマルチメディアポートを想定し、ハブのメンテナンスのために用いられるメンテナンス部品としてループバックコネクタを筐体内に着脱自在に取着可能とした例を示す。
【００１３】
（実施形態１）
マルチメディアポートの筐体は、壁に取付けられる合成樹脂製のベースと、ベースに結合される合成樹脂製のカバーとで薄箱状に形成される。図２に示すように、ベース１は、背面が壁（図示せず）と対向する矩形状の底板２と、底板２の周線全周に亘って前方に突設された側板３とにより、前面が開口した薄箱状を成している。一方、カバー（図示せず）はベース１の前面に覆着される。ただし、以下では、カバーを外した状態で説明する。
【００１４】
図２に示すように、底板２には内器に接続される伝送線（図示せず）を通す通線口２ａが底板２の上下両端部に複数個（図では５個）貫設されている。上下の通線口２ａの間において、底板２には内器取付部４が底板２の左右方向に複数個（図では６個）列設されている。各内器取付部４は、底板２の上下両端部に夫々雌ねじが形成された各一対の内器ねじ孔４ａ、４ｂと、底板２において下側の内器ねじ孔４ｂよりも下方の部位から前方に突出し先端部が内器ねじ孔４ｂに向かって延びたＬ字状の内器突片４ｃとを組にして夫々構成されている。また、図１に示すように、底板２に取付けられるハブ５は、底板２の上下方向に長い直方体状で、底板２と対向する面における長手方向の両端部から長手方向に取付突片５ａが突出している。このハブ５は１組の内器取付部４を用いてベース１に取付けられる。ハブ５の取付けにあたっては、一方の取付突片５ａの一端部を内器突片４ｃに引掛けた形で、各取付突片５ｂを通して夫々内器ねじ孔４ａ、４ｂに取付ねじ４ｄを螺合させる。
【００１５】
一方、図３に示すように、ループバックコネクタ６は、ハブ５に伝送線の接続口として設けられているモジュラジャック５ｂ（図１参照）に挿抜自在に差込まれるモジュラプラグ６ａを有している。モジュラプラグ６ａには、抜脱レバー６ｂが設けられている。モジュラプラグ６ａがモジュラジャック５ｂに差込まれた際に、抜脱レバー６ｂに形成されている爪がモジュラジャック５ｂに引掛かってモジュラジャック５ｂからのモジュラプラグ６ａの抜脱を阻止する。また、モジュラプラグ６ａをモジュラジャック５ｂから抜脱する際には抜脱レバー６ｂを倒しながら抜脱する。さらに、モジュラプラグ６ａは、モジュラジャック５ｂとの接続時にモジュラジャック５ｂの複数個のコンタクト（図示せず）と夫々電気的に導通する複数個の接触片（図示せず）を有している。ループバックコネクタ６を構成するモジュラプラグ６ａでは、ハブ５の１つのモジュラジャック５ｂとの接続時にモジュラジャック５ｂの送信側のコンタクトと受信側のコンタクトとを短絡するように、所要の接触片間が接続線６ｃで接続されている。
【００１６】
ここで用いるハブ５には、通信状態で点灯するリンクランプ５ｃが設けられているので、ループバックコネクタ６をハブ５のモジュラジャック５ｂに差込むことにより、リンクランプ５ｃの点灯状況からハブ５のチェックを行うことができる。また、マルチメディアポートの外部にハブ５のモジュラジャック５ｂから伝送線を介してＬＡＮ用モジュラジャック（図示せず）が接続されている場合には、ループバックコネクタ６をＬＡＮ用モジュラジャックに差込むことにより、リンクランプ５ｃの点灯状況からハブ５とＬＡＮ用モジュラジャックとの間の配線のチェックを行うこともできる。
【００１７】
ところで、図１に示すように、底板２における内器取付部４の左側部位には、ループバックコネクタ６を着脱自在に取着する部品取着部として３個１組にした保持突片７が設けられている。保持突片７のうちの２個は底板２の左右方向に対向する形に突設され、さらに、残りの１個の保持突片７は左右方向においては上記２個の保持突片７の間であって、上下方向においては上記２個の保持突片７より下方に突設されている。ループバックコネクタ６は、保持突片７に囲まれる形で取着される。ループバックコネクタ６を使用する際には、ループバックコネクタ６を保持突片７から離脱すればよい。また、ループバックコネクタ６を使用した後には、ループバックコネクタ６を保持突片７に再度取着して保管することができる。
【００１８】
（実施形態２）
実施形態１では、部品取着部として複数個の保持突片７を設けた例を示したが、本実施形態では、図４に示すように、部品取着部として保持凹部７’を設けた例を示す。保持凹部７’はループバックコネクタ６に設けたモジュラプラグ６ａが挿抜自在に差込まれる形状に底板２に貫設されている。さらに、保持凹部７’は、ループバックコネクタ６を差込まれた際に、抜脱レバー６ｂに形成されている爪が引掛かってモジュラプラグ６ａの抜脱を阻止する阻止片７ａ’を有している。
【００１９】
すなわち、図５に示すように、ループバックコネクタ６のモジュラプラグ６ａを保持凹部７’に差込むことにより、ループバックコネクタ６は保持凹部７’に取着される。ループバックコネクタ６を使用する際には、モジュラプラグ６ａの抜脱レバー６ｂを倒しながら保持凹部７’から抜脱すればよい。ループバックコネクタ６を使用した後には、ループバックコネクタ６を保持凹部７’に再度取着して保管することができる。他の構成および機能は実施形態１と同様である。
【００２０】
【発明の効果】
請求項１の発明は、内器のメンテナンスに用いられるメンテナンス部品を着脱自在に取着する部品取着部が筐体に設けられているので、メンテナンス部品は、筐体に取着されて保管され、使用時のみ筐体から容易に取り外すことができる。すなわち、メンテナンス部品は、使用時以外に筐体から取り外す必要がなく、メンテナンス部品を使用した後には筐体に再度取着して保管できるのでメンテナンス部品を紛失することがなくなるという効果を奏する。
【００２１】
請求項２の発明は、請求項１の発明において、部品取着部が筐体の内面に一体に突設された複数個の保持突片からなり、保持突片に囲まれた部位にはメンテナンス部品が着脱自在に装着されるので、別の部材を用いることなくメンテナンス部品を筐体に取着できる。
【００２２】
請求項３の発明では、請求項１の発明において、部品取着部は筐体に形成された保持凹部であり、保持凹部にはメンテナンス部品が挿抜自在に差込まれるので、別の部材を用いることなくメンテナンス部品が筐体に取着できる。
【００２３】
請求項４の発明では、請求項１の発明において、メンテナンス部品は、ハブに設けたモジュラジャックに挿抜自在に差込まれるモジュラプラグを有し１つのモジュラジャックにおける送信経路と受信経路との間を短絡するループバックコネクタであり、ループバックコネクタは筐体の一部に取着されて保管され、ハブの配線の点検時のみ筐体から容易に取り外すことができる。すなわち、使用頻度が比較的低くしかもサイズが比較的小さいループバックコネクタのようなメンテナンス部品であっても、使用時以外に筐体から取り外す必要がなく、メンテナンス部品を使用した後には筐体に再度取着して保管できるのでメンテナンス部品を紛失することがなくなるという効果を奏する。
【図面の簡単な説明】
【図１】本発明の実施形態１を示す斜視図である。
【図２】同上のベースを示す斜視図である。
【図３】同上に用いるループバックコネクタを示す側面図である。
【図４】（ａ）は本発明の実施形態２のベースを示す斜視図、（ｂ）は同上の要部を示す正面図である。
【図５】同上の要部を示す斜視図である。
【図６】従来例の要部を示す正面図である。
【符号の説明】
５  ハブ
５ｂ  モジュラジャック
６  ループバックコネクタ
６ａ  モジュラプラグ
７  保持突片
７’  保持凹部
【図１】
2004327861.tif 000003
【図２】
2004327861.tif 000004
【図３】
2004327861.tif 000005
【図４】
2004327861.tif 000006
【図５】
2004327861.tif 000007
【図６】
2004327861.tif 000008